(57)【要約】【課題】従来、全長を短縮するためにコイル部を２段構成とするアンテナにおいては、短縮されている状態であっても、アンテナを収納するアンテナケースはアンテナの全長の半分程度の長さを要する。したがって、もし小型の装置にアンテナを装備する場合には、アンテナを収納するスペースを確保するために必然的に装置自体の小型化が妨げられるという課題が生じる。【解決手段】本発明は、アンテナ本体の中間部にアンテナ本体を折曲げ自在とする折曲部を有するアンテナに関する技術を提案するものである。このとき、折曲部にて折り曲げられた位置から先端側のアンテナ本体部分を電子機器筐体の側面に設けられた溝状の収納部に収納することができる。【選択図】            図４
2008017356.tif 000002
【特許請求の範囲】
【請求項１】
アンテナ本体の中間部にアンテナ本体を折曲げ自在とする第一折曲部を有するアンテナ。
【請求項２】
アンテナ本体は根本側に配置される鞘構造の第一段アンテナ部分と、第一段アンテナ部分の鞘構造に対してその全部又は／及び所定の一部を収納引出自在な先端側に配置される第二段アンテナ部分とからなり、前記折曲部は、第一段アンテナ部分に設けられている請求項１に記載のアンテナ。
【請求項３】
アンテナ本体の根本部にアンテナ本体を折曲げ自在とする第二折曲部を有する請求項１又は２に記載のアンテナ。
【請求項４】
第一折曲部と、第二折曲部とは、アンテナ軸中心線方向から見て折曲げ方位が９０度異なる請求項３に記載のアンテナ。
【請求項５】
第一折曲部は、折り曲げられた状態においてアンテナ本体の全体で受信機能を有するように構成されている請求項１に記載のアンテナ。
【請求項６】
第一段アンテナ部分に第二段アンテナ部分の全部又は／及び所定の一部が収納された状態で第一段アンテナ部分と収納されていない他の第二段アンテナ部分とは全体で受信機能を有するように構成されている請求項２に記載のアンテナ。
【請求項７】
第二折曲部は、折り曲げられた状態においてアンテナ本体の全体で受信機能を有するように構成されている請求項４に記載のアンテナ。
【請求項８】
第一折曲部を複数有する請求項１から７のいずれか一に記載のアンテナ。
【請求項９】
請求項１から８のいずれか一に記載のアンテナを備えた電子機器。
【請求項１０】
アンテナ本体の全部又は一部をアンテナ軸線方向に押引自在に収納する第一収納部を有する請求項９に記載の電子機器。
【請求項１１】
第一折曲部にて折り曲げられた位置から先端側のアンテナ本体部分を収納する第二収納部を有する請求項１０に記載の電子機器。
【請求項１２】
第二収納部は、電子機器筐体の側面に設けられた溝状の収納部である請求項１１に記載の電子機器。
【発明の詳細な説明】
【技術分野】
【０００１】
本発明は、携帯機器用アンテナに関するものである。
【背景技術】
【０００２】
従来から、アンテナの全長を短縮するために、アンテナ本体を２段構成とする技術についてはすでに提案されている（例えば、特許文献１参照）。このとき、図１で示すように２段のアンテナ本体はほぼ一軸上に配置され、鞘構造となっている。なお、（Ａ−１）、（Ａ−２）で示したのがアンテナ本体を短縮した状態であり、（Ｂ−１）、（Ｂ−２）で示したのがアンテナ本体を伸張した状態である。
【特許文献１】特開２００３−３３８７０７号公報
【発明の開示】
【発明が解決しようとする課題】
【０００３】
しかしながら、上記特許文献１に記載の発明においては、アンテナ本体を２分割して短縮した状態であっても、アンテナを収納するスペースとしてアンテナ全長の半分程度の容積を要する。このとき、小型の電子機器にアンテナを装備する場合には、電子機器の縦、又は、横の長さに応じて、アンテナの全長に限界が生じる可能性がある。また、アンテナを収納するスペースを確保するために必然的に電子機器自体の小型化が妨げられるという課題が生じうる。
【０００４】
図２、３にアンテナを装備した従来の電子機器を示した。図２は電子機器を表側から見た斜視図であり、図３は裏側から見た斜視図である。図３（Ａ）はアンテナを伸張した状態で、（Ｂ）はアンテナを短縮し、電子機器の筐体内部に収納している状態を示したものである。ここで、アンテナを一軸状態で収納する場合には、アンテナの全長は電子機器の縦の長さであるＬ（アンテナを２段構成にする場合には２Ｌ）が最大であり、アンテナの全長に限界が生じてしまう。
【課題を解決するための手段】
【０００５】
本発明はかかる実情に鑑み、アンテナ本体の中間部にアンテナ本体を折曲げ自在とする折曲部を有するアンテナに関する技術を提案するものである。またアンテナは、根本側に配置される鞘構造の第一段アンテナ部分と、先端側に配置されて、第一段アンテナ部分の鞘構造に対してその全部又は／及び所定の一部を収納引出自在な第二段アンテナ部分とからなるとしてもよい。このとき、アンテナ本体の根本部にアンテナ本体を折曲げ自在とする第二折曲部を有するとしてもよい。さらに、第一折曲部にて折り曲げられた位置から先端側のアンテナ本体部分を電子機器筐体の側面に設けられた溝状の収納部に収納することができる。
【発明の効果】
【０００６】
以上、説明したように本件発明に係るアンテナは、鞘構造にて全長を短縮させ、さらに、アンテナ本体を折曲げて筐体の側面に沿わせることが可能となる。アンテナを備える電子機器が小型であっても、アンテナを収納するスペースを確保することができる。
【発明を実施するための最良の形態】
【０００７】
以下に、各発明を実施するための最良の形態を説明する。各実施形態と請求項の関係はおおむね次のようなものである。実施形態１は、主に請求項１、５、８、９について説明する。  実施形態２は、主に請求項２、６について説明する。  実施形態３は、主に請求項３、４、７について説明する。  実施形態４は、主に請求項１０、１１、１２について説明する。  なお、本発明はこれら実施の形態に何ら限定されるものではなく、その要旨を逸脱しない範囲において、種々なる態様で実施しうる。
【０００８】
<<実施形態１>>
【０００９】
<実施形態１：概要>  本実施形態の概要について説明する。本実施形態は、アンテナ本体の中間部にアンテナ本体を折曲げ自在とする第一折曲部を有することに特徴を有するアンテナである。
【００１０】
図４は、本実施形態のアンテナの一例を示すものである。（Ａ）はアンテナを短縮した状態、（Ｂ）、（Ｃ）はアンテナを伸張した状態を示したものである。また、（Ｄ）はアンテナを中間部分から折曲げた状態を示したものである。なお、図中の数値は各部のサイズを示したものであり、単位はｍｍである。
【００１１】
「第一折曲部」は、折曲げた関節の部分をいう。アンテナを折曲げる方向、角度は図に示したものに限定されるものではない。図５に折曲部の構造の一例を示した。例えば、アンテナは、棹部分が前後に傾斜する機構によって、角度を０〜１８０度調節することができ（ａ）、さらに土台の部分が回転する機構によって、方向を０〜３６０度調節することができる（ｂ）。アンテナの方向や角度は、電波の受信状態に応じて自在に変更できることが望ましい。なお、本実施形態においては、アンテナ本体が鞘構造であることは必須ではないが、図で示すよう、入れ子の内側になったアンテナ部分を上端に向けて径を細くすることで、二重構造のアンテナを伸縮させることが可能となる。
【００１２】
アンテナが受信する電波は、アナログ放送、ＢＳ放送、ＣＳ放送、地上デジタル放送（ワンセグ放送）、地上デジタルラジオ放送などを広く含む。折り曲げた状態では、電波の品質が劣化することが予想されるものの受信自体は可能であると便利である。一般にアンテナは、電波の１／４波長分の長さが必要となるが、伸ばした状態、折り曲げた状態のいずれにおいてもこれを満たすことによって、アンテナの状態によらずに常時電波の受信が可能となる。
【００１３】
また、アンテナ最下端に給電点が備えられていることを想定しており、アンテナと給電点とは導通状態にある。このとき、第一折曲部は、折り曲げられた状態においてアンテナ本体の全体で受信機能を有するように構成されているとしてもよい。このためには、折曲部分の前後で電気が導通していることが必須である。これは、アンテナ本体が金属製であることや、折曲部分の前後で二段構成のアンテナ同士が接触していることで実現可能である。
【００１４】
また、図６に示したように、アンテナが第一折曲部を複数有する場合もある。図は折曲方法の一例である。（Ａ）、（Ｂ）に示すように一部の折曲部でのみ折り曲げるとしてもよいし、（Ｃ）で示すように複数の折曲部にて折曲げるとしてもよい。また、（Ｄ）は一のアンテナを横から見た図と、上から見た図を組み合わせて示したものであるが、このように立体的に折曲げるとしてもよい。
【００１５】
なお、これらのアンテナは図７に示すような電子機器に備えられることが想定される。図で示すサイズは一例であるが、電子機器縦方向にアンテナを収容する場合には、アンテナの全長を８ｃｍ（２段構成にする場合には１６ｃｍ）程度にする必要がある。しかし、電子機器のサイズが小さい場合には、本実施形態においてはアンテナを中間部で折曲げて、電子機器の筐体に沿わせるなどしてアンテナを収納するスペースを確保することができる。これについては、後の実施形態にて詳述する。
【００１６】
<実施形態１：効果>  本実施形態のアンテナは、本体の中間部にアンテナ本体を折曲げ自在とする第一折曲部を有する。これにより、アンテナを備える電子機器が小型であっても、アンテナを折曲げて筐体の側面に沿わせるなどしてアンテナを収納するスペースを確保することができる。
【００１７】
<<実施形態２>>
【００１８】
<実施形態２：概要>  本実施形態の概要について説明する。本実施形態は、アンテナ本体の根本側に配置される鞘構造の第一段アンテナ部分と、アンテナ本体の先端側に配置されて第一段アンテナ部分の鞘構造に対してその全部又は／及び所定の一部を収納引出自在な第二段アンテナ部分とからなることに特徴を有するアンテナである。
【００１９】
<実施形態２：構成>  図８は、本実施形態の構成の一例を示したものである。（Ａ）、（Ｂ）は、アンテナを伸張した状態、（Ｃ）は、実線で示した伸張した状態のアンテナを、一部短縮した状態と、折り曲げた状態を点線にて示したものである。  図８に示す本実施形態のアンテナは、「第一折曲部」（０８０１）と、「第一段アンテナ部分」（０８０２）と、「第二段アンテナ部分」（０８０３）とを有する。
【００２０】
「第一折曲部」（０８０１）は、アンテナ本体の中間部にてアンテナ本体を折曲げ自在とするために設けられる。すでに図５にて説明したものと同様に、折曲げる方向や、角度は、電波の受信状態に応じて自在に変更できると便利である。加えて、折曲部は後述する第一段アンテナ部分（０８０２）に設けられる。
【００２１】
「第一段アンテナ部分」（０８０２）は、根本側に配置され、鞘構造をしている。鞘部分に第二段アンテナの全部又は／及び所定の一部を収納できる。アンテナ最下端に給電点が備えられていることを想定しており、アンテナと給電点とは導通状態にある。
【００２２】
「第二段アンテナ部分」（０８０３）は、先端側に配置され、第一段アンテナ部分（０８０２）の鞘構造に対してその全部又は／及び所定の一部を収納引出自在の構造をしている。図８（Ｃ）の点線にて、第一段アンテナ部分の鞘構造に対して第二段アンテナ部分の所定の一部を収納している状態を示した。第二段アンテナ部分を第一段アンテナ部分に挿入しても、なお上端が収納しきれずに突出している。例えば、全部を引出した状態で、地上デジタル放送（ワンセグ）に対応したアンテナとして、所定の一部（２４ｍｍ）を収納し、他の部分を突出させておく状態で、地上デジタルラジオ放送（３セグ）に対応したアンテナとして、２つの形態で利用できるものを想定している。なお、第二段アンテナ部分は第一折曲部を超えて下部には収納されないものとする。
【００２３】
また、アンテナ最下端に給電点が備えられていることを想定しており、アンテナと給電点とは導通状態にある。これは、第一段アンテナ部分の鞘構造に対して第二段アンテナ部分の全部又は／及び所定の一部が収納されている場合であっても変わらない。このとき、第一段アンテナ部分に第二段アンテナ部分の全部又は／及び所定の一部が収納された状態で第一段アンテナ部分と収納されていない他の第二段アンテナ部分とは全体で受信機能を有するように構成されているとしてもよい。このためには、第一段アンテナ部分と収納されていない他の第二段アンテナ部分とが電気的に導通していることが必須である。これは、アンテナ本体が金属製であることや、第一段アンテナ部分と、第二段アンテナ部分（収納しきれずに突出している第二段アンテナ部分を含む）同士が接触していることで実現可能である。
【００２４】
また、実施形態１と同様に、アンテナが第一折曲部を複数有する場合もある。これらのアンテナは電子機器に備えられることが想定されている。鞘構造にてアンテナを二重にして収納しつつ折曲部にて折曲げて電子機器の筐体に沿わせることで、小型の電子機器であってもより長いアンテナを収納するスペースを確保することができる。
【００２５】
<実施形態２：効果>  本実施形態のアンテナは、根本側に配置される鞘構造の第一段アンテナ部分と、先端側に配置されて、第一段アンテナ部分の鞘構造に対してその全部又は／及び所定の一部を収納引出自在な第二段アンテナ部分とからなることに特徴を有する。これにより、アンテナはより短縮されるため、小型の電子機器への装備を容易にする。
【００２６】
<<実施形態３>>
【００２７】
<実施形態３：概要>  本実施形態の概要について説明する。本実施形態は、アンテナ本体の根本部にアンテナ本体を折曲げ自在とする第二折曲部を有することに特徴を有するアンテナである。
【００２８】
<実施形態３：構成>  図９は、本実施形態の構成の一例を示したものである。（Ａ）、（Ｂ）は、アンテナを伸張した状態、（Ｃ）は、実線で示した伸張した状態のアンテナを、一部短縮した状態と、折り曲げた状態を点線にて示したものである。  図９に示す本実施形態のアンテナは、「第一折曲部」（０９０１）と、「第一段アンテナ部分」（０９０２）と、「第二段アンテナ部分」（０９０３）と、さらに、「第二折曲部」（０９０４）とを有する。
【００２９】
「第二折曲部」（０９０４）は、アンテナ本体の根本部にてアンテナ本体を折曲げ自在とするために設けられる。すでに図５にて説明したものと同様に、折曲げる方向や、角度は、電波の受信状態に応じて自在に変更できると便利である。また、図１０に示すように第一折曲部と、第二折曲部とは、アンテナ軸中心線方向から見て折曲げ方位が９０度異なる。例えば、第二折曲部は、（Ａ）手前方向、（Ｂ）奥方向、（Ｃ）左方向、（Ｄ）右方向に折曲がる。
【００３０】
また、アンテナ最下端に給電点が備えられていることを想定しており、アンテナと給電点とは導通状態にある。このとき、第二折曲部は、折り曲げられた状態においてアンテナ本体の全体で受信機能を有するように構成されている。このためには、折曲部の前後で電気が導通していることが必須である。これは、アンテナ本体が金属製であることや、折曲部分の前後でアンテナ同士が接触していることで実現可能である。
【００３１】
図１０〜１３は、アンテナを備えた電子機器を示した図である。なお図１０は、電子機器を表側から見たところで、図１１〜１３は裏側から見たところである。図１１はアンテナを伸張した状態であり、図１２はアンテナを一部（２４ｍｍ）縮めた状態である。また、図１３は、アンテナを短縮して電子機器に収納した状態である。なお、アンテナが受信する電波は、地上デジタル放送（ワンセグ）、地上デジタルラジオ放送などであるが、アンテナが最も伸びた状態（図１０、図１１）にてワンセグに対応したアンテナとして利用でき、２４ｍｍ縮めた状態（図１２）にて地上デジタルラジオ放送（３セグ）に対応したアンテナとして利用できる。
【００３２】
また、実施形態１と同様に、アンテナが第一折曲部を複数有する場合もある。これらのアンテナは電子機器に備えられることが想定されている。図１４に示すようにアンテナを折曲げて、電子機器の筐体に沿わせることでアンテナを収納するスペースを確保することができる。  その他各部の処理については実施形態２と同様である。
【００３３】
<実施形態３：効果>  本実施形態のアンテナは、アンテナ本体の根本部にアンテナ本体を折曲げ自在とする第二折曲部を有することに特徴を有する。これにより、アンテナを折曲げることで、筐体の側面にアンテナを沿わせることが容易になる。アンテナを備える電子機器が小型であっても、アンテナを収納するスペースを確保することができる。
【００３４】
<<実施形態４>>
【００３５】
<実施形態４：概要>  本実施形態の概要について説明する。本実施形態の電子機器は、第一折曲部にて折り曲げられた位置から先端側のアンテナ本体部分を電子機器筐体の側面に設けられた溝状の収納部に収納することに特徴を有する。
【００３６】
<実施形態４：構成>  図１５は、本実施形態の構成の一例を示したものである。  図１５に示す本実施形態の電子機器は、「第一収納部」（１５０１）を有する。さらに、「第二収納部」（１５０２）を有する場合もある。
【００３７】
「第一収納部」（１５０１）は、アンテナ本体の全部又は一部をアンテナ軸線方向に押引自在に収納する。電子機器内部に存在し、図１５では点線にて示した。第一収納部には、少なくても第一段アンテナ部分が収納され、同時に第一段アンテナ部分の鞘構造に収納された第二段アンテナ部分も収納される。このとき、第一収納部の下端に給電点が装備されていることを想定している。アンテナ本体の状態に拘らず（伸張時、短縮時、折曲時）アンテナは給電点と接触する。
【００３８】
「第二収納部」（１５０２）は、第一折曲部にて折り曲げられた位置から先端側のアンテナ本体部分を収納する。第一折曲部にて折り曲げられた位置から先端側のアンテナ本体部分とは、つまり第二段アンテナ部分のことである。
【００３９】
また、第二収納部は、電子機器筐体の側面に設けられた溝状の収納部にて構成されるとしてもよい。図１３は、溝状の収納部に第二段アンテナ部分が収納されている状態を図示したものである。
【００４０】
また、アンテナは第一収納部、第二収納部のいずれに収納されている状態においても、電波を受信することが可能である。このとき、電子機器の筐体自体は金属ではない材質が望ましい。
【００４１】
<実施形態４：効果>  本実施形態のアンテナは、第一折曲部にて折り曲げられた位置から先端側のアンテナ本体部分を電子機器筐体の側面に設けられた溝状の収納部に収納することに特徴を有する。これにより、アンテナを備える電子機器が小型であっても、アンテナを収納するスペースを確保することができる。
【図面の簡単な説明】
【００４２】
【図１】従来のアンテナの構造図
【図２】従来のアンテナを備える電子機器（表面）の一例を示した図
【図３】従来のアンテナを備える電子機器（裏面）の一例を示した図
【図４】実施形態１のアンテナの構造図
【図５】折曲部の構造の一例を示した図
【図６】折曲部を複数有するアンテナの一例を示した図
【図７】実施形態１のアンテナを備える電子機器の一例を示した図
【図８】実施形態２のアンテナの構造図
【図９】実施形態３のアンテナの構造図
【図１０】実施形態３のアンテナを備える電子機器（表面）の一例を示した図
【図１１】実施形態３のアンテナを備える電子機器（裏面、アンテナ伸張状態）の一例を示した図
【図１２】実施形態３のアンテナを備える電子機器（裏面、アンテナ短縮状態）の一例を示した図
【図１３】実施形態３のアンテナを備える電子機器（裏面、アンテナ収納状態の一例）を示した図
【図１４】アンテナと電子機器のバリエーションを示した図
【図１５】実施形態４の電子機器の構造図
【符号の説明】
【００４３】
０８０１    第一折曲部
０８０２    第一段アンテナ部分
０８０３    第二段アンテナ部分
【図１】
2008017356.tif 000003
【図２】
2008017356.tif 000004
【図３】
2008017356.tif 000005
【図４】
2008017356.tif 000006
【図５】
2008017356.tif 000007
【図６】
2008017356.tif 000008
【図７】
2008017356.tif 000009
【図８】
2008017356.tif 000010
【図９】
2008017356.tif 000011
【図１０】
2008017356.tif 000012
【図１１】
2008017356.tif 000013
【図１２】
2008017356.tif 000014
【図１３】
2008017356.tif 000015
【図１４】
2008017356.tif 000016
【図１５】
2008017356.tif 000017